(57)【要約】      （修正有）【課題】肌や唇に直接当てて化粧料を塗布する際の使用感が良好で、しかも化粧料が簡単な構造で衛生的に保護された、優れた棒状化粧料容器を提供する。【解決手段】把持部２２と化粧料保持部２４とを有する本体部２０と、上記本体部２０の化粧料保持部２４を被覆するキャップ２１とを備え、上記化粧料保持部２４の傾斜した上面部２４ｂに化粧料保持用凹部２７が形成されているとともに、上記キャップ２１の、上記本体部２０の上面部２４ｂに対峙する部分に、化粧料充填用の貫通穴３１が形成されており、上記貫通穴３１を封止するためのシールが設けられている。【選択図】図５
2019076440.tif 000002
【特許請求の範囲】
【請求項１】
一端側に把持部が形成され他端側に化粧料保持部が形成された本体部と、上記本体部に着脱自在に係合し上記化粧料保持部を被覆するキャップとを備えた棒状化粧料容器であって、
上記本体部において、上記化粧料保持部の上部に水平面もしくは傾斜面が形成され、上記水平面もしくは傾斜面に、環状の周縁部を有する化粧料保持用凹部が形成されており、
上記キャップは、上記化粧料保持部を被覆した状態において、化粧料保持部の水平面もしくは傾斜面に対峙する部分に、化粧料充填用の貫通穴が形成されているとともに、上記貫通穴を封止するためのシールが設けられていることを特徴とする棒状化粧料容器。
【請求項２】
上記キャップは、略筒状の側壁部と天面部とを備え、上記天面部の少なくとも一部が、上記本体部の化粧料保持部を被覆した状態において上記化粧料保持部の水平面もしくは傾斜面と平行になるよう形成されており、上記天面部に上記化粧料充填用の貫通穴が形成されている請求項１記載の棒状化粧料容器。
【請求項３】
上記本体部の化粧料保持部の上部に傾斜面が形成されているとともに、上記キャップは、略筒状の側壁部と天面部とを備え、上記キャップが上記本体部の化粧料保持部を被覆した状態において、上記キャップの側壁部に向かって、上記化粧料保持部の傾斜面を傾斜面垂直方向に投影して得られる仮想領域内に、上記化粧料充填用の貫通穴が形成されている請求項１記載の棒状化粧料容器。
【請求項４】
上記化粧料保持部の水平面もしくは傾斜面に形成された化粧料保持用凹部の深さが、０．１〜１．２ｍｍに設定されている請求項１〜３のいずれか一項に記載の棒状化粧料容器。
【請求項５】
上記化粧料保持部の水平面もしくは傾斜面に形成された化粧料保持用凹部に、０．０５〜０．３ｇの油性化粧料が充填保持されるようになっている請求項１〜４のいずれか一項に記載の棒状化粧料容器。
【発明の詳細な説明】
【技術分野】
【０００１】
本発明は、サンプルとして顧客に配布したり携帯用として販売したりする少量充填タイプの棒状化粧料容器に関するものである。
【０００２】
従来、化粧品会社では、新製品の広告や何らかのキャンペーンを行う場合、新製品やキャンペーンにかかる商品の中身をサンプル分として少量だけ包装した化粧料サンプルを、店頭や街頭で無料配布したり、ダイレクトメールで送付したりすることが多い。
【０００３】
このような化粧料サンプルのうち、口紅化粧料やアイシャドウといった油性化粧料のサンプルとしては、例えば、図１５に示すようなカードタイプのものが汎用されている。このものは、厚紙を積層した台紙１において、その表層部分に切欠き穴２を設け、その下層に化粧料３を少量だけ塗工して上記切欠き穴２から露出させ、切欠き穴２の開口をフィルム４で被覆したものである。このサンプルを使用するには、まず、フィルム４を剥がし、内側の化粧料３を化粧チップ等で擦り取って、唇や肌に塗布することが行われる。
【０００４】
しかしながら、化粧料のなかでも口紅化粧料は、実際には、スティックタイプの商品が多いため、このようなカードタイプの化粧料サンプルでは、実際に唇にスティックタイプの化粧料を塗布する場合の伸びやすさや肌触りの感触を実感することができず、試供品として充分に満足できるものとはいえない。
【０００５】
一方、図１６に示すように、スティックタイプの口紅化粧料を模した使い捨ての試供用口紅が提案されている（特許文献１を参照）。このものは、実際の商品形状を模した筒状のボディ５の先端に、傾斜した端面６が設けられており、この端面６に、１回ないし数回分の口紅化粧料７が盛られた構造になっている。８はキャップである。
【０００６】
しかしながら、上記のものは、端面６に盛られた口紅化粧料７が、端面６から滑り落ちやすく、これを唇に当てて塗ろうとしても、唇に口紅化粧料７が付着する前に、端面６から浮き上がってずれたり、脱落したりしやすいという問題がある。
【０００７】
そこで、本出願人は、肌や唇に直接当てて化粧料を塗布しても化粧料がずれたり脱落したりせず、その伸び具合や感触をしっかり試すことのできる化粧料サンプルを開発し、すでに出願している（特許文献２を参照）。
【０００８】
このものは、例えば図１７（ａ）およびそのＸ−Ｘ’断面図である図１７（ｂ）に示すように、油性化粧料１３を充填保持する円筒状の胴体部１４と、四角筒状の袴部１４ａとを有する樹脂ケース１１を備え、その天面部１２が、胴体部１４に対し斜めに傾斜している。そして、天面部１２の周囲には、浅い環状壁１５が形成されており、天面部１２に保持された油性化粧料１３が、この環状壁１５によって抜け止めされている。
【先行技術文献】
【特許文献】
【０００９】
【特許文献１】実用新案登録第３０６８２８７号公報
【特許文献２】特開２０１６−４３１７９号公報
【発明の概要】
【発明が解決しようとする課題】
【００１０】
上記化粧料サンプルは、油性化粧料１３が少量でありながら、実際の商品のように肌や唇で直接当てて使用することができ、使い勝手のよいものであるが、油性化粧料１３が剥き出しのまま、ブリスターパック等で包装されるようになっている。このため、何回か繰り返して使用する際、いちいちブリスターパック等から取り出したり収納したりする手間を要し、煩雑である。また、その際、ブリスターパック等に油性化粧料１３が付着して汚れるおそれもある。そこで、図１６に示す試供用口紅のように、油性化粧料１３をキャップで保護することも考えられるが、油性化粧料１３がやや盛り上がった状態で充填された樹脂ケース１１に細長いキャップを被せる際、少しでもキャップの向きがずれるとキャップ下端が油性化粧料１３に当たって品質を損なうおそれがある。このため、できるだけ簡単な構成で油性化粧料１３の表面を保護することができ、使用時には油性化粧料１３の表面を簡単に露出させることができる構成にすることが強く望まれている。
【００１１】
本発明は、このような事情に鑑みなされたもので、化粧料が簡単な構造で衛生的に保護され、使用時の使い勝手にも優れた棒状化粧料容器の提供を、その目的とする。
【課題を解決するための手段】
【００１２】
上記の目的を達成するため、本発明は、一端側に把持部が形成され他端側に化粧料保持部が形成された本体部と、上記本体部に着脱自在に係合し上記化粧料保持部を被覆するキャップとを備えた棒状化粧料容器であって、上記本体部において、上記化粧料保持部の上部に水平面もしくは傾斜面が形成され、上記水平面もしくは傾斜面に、環状の周縁部を有する化粧料保持用凹部が形成されており、上記キャップは、上記化粧料保持部を被覆した状態において、化粧料保持部の水平面もしくは傾斜面に対峙する部分に、化粧料充填用の貫通穴が形成されているとともに、上記貫通穴を封止するためのシールが設けられている棒状化粧料容器を第１の要旨とする。
【００１３】
また、本発明は、そのなかでも、特に、上記キャップは、略筒状の側壁部と天面部とを備え、上記天面部の少なくとも一部が、上記本体部の化粧料保持部を被覆した状態において上記化粧料保持部の水平面もしくは傾斜面と平行になるよう形成されており、上記天面部に上記化粧料充填用の貫通穴が形成されている棒状化粧料容器を第２の要旨とし、上記本体部の化粧料保持部の上部に傾斜面が形成されているとともに、上記キャップは、略筒状の側壁部と天面部とを備え、上記キャップが上記本体部の化粧料保持部を被覆した状態において、上記キャップの側壁部に向かって、上記化粧料保持部の傾斜面を傾斜面垂直方向に投影して得られる仮想領域内に、上記化粧料充填用の貫通穴が形成されている棒状化粧料容器を第３の要旨とする。
【００１４】
そして、本発明は、それらのなかでも、特に、上記化粧料保持部の水平面もしくは傾斜面に形成された化粧料保持用凹部の深さが、０．１〜１．２ｍｍに設定されている棒状化粧料容器を第４の要旨とし、上記化粧料保持部の水平面もしくは傾斜面に形成された化粧料保持用凹部に、０．０５〜０．３ｇの油性化粧料が充填保持されるようになっている棒状化粧料容器を第５の要旨とする。
【発明の効果】
【００１５】
本発明の棒状化粧料容器は、化粧料サンプル等として用いられる簡易な棒状化粧料容器であって、その化粧料保持部の上部に、水平面もしくは傾斜面を形成し、その水平面もしくは傾斜面に、環状の周縁部を有する化粧料保持用凹部を形成したものである。この構成によれば、化粧料保持用凹部内に保持される化粧料の周囲が、凹部開口縁に設けられた環状の周縁部で囲われるため、その内側に保持される化粧料の表面を、直接肌や唇につけて伸ばしても、化粧料全体がずれたり脱落したりすることがない。したがって、一般的なスティックタイプの化粧料容器を使用する場合と同様、キャップを外すだけで、化粧料保持用凹部内に保持された化粧料を露出させることができ、この化粧料を、肌や唇に直接塗布して、化粧料の色味と使用感を実感することができる。
【００１６】
しかも、本発明の棒状化粧料容器では、上記キャップが、化粧料保持部を被覆した状態において、上記化粧料保持部の水平面もしくは傾斜面に対峙する部分に化粧料充填用の貫通穴を有し、上記貫通穴を封止するためのシールが設けられている。この構成によれば、キャップを本体部と係合した状態で、上記貫通穴から、キャップ内の化粧料保持部の水平面もしくは傾斜面に形成された化粧料保持用凹部内に化粧料を充填することができるため、化粧料充填後にキャップを本体部に係合させる必要がなく、キャップ下端部が、充填された化粧料に当たって見栄えを損なう等の問題を生じることがない。また、化粧料の充填後、上記貫通穴を上記シールで封止すれば、簡単にキャップ内を密封することができ、それ以降の工程において、充填された化粧料を衛生的に保つことができる。
【００１７】
そして、上記のように、先に本体部とキャップを係合し、その状態で化粧料を充填する方が、先に化粧料を充填し、後からキャップを係合するよりも、充填工程へのワークの準備や搬送にかかる手間が少なく、コスト的にも有利である。
【００１８】
さらに、本発明では、キャップ側に貫通穴が設けられ、この貫通穴がシールによって封止されるようになっているため、このシールに、化粧料に関する表示やキャンペーンに関する表示等を印刷しておけば、容器を使用する都度、シールの表示内容を顧客にアピールすることができ、宣伝効果が大きい。
【００１９】
なお、本発明のなかでも、特に、上記キャップが、略筒状の側壁部と天面部とを備え、上記天面部の少なくとも一部が、上記本体部の化粧料保持部を被覆した状態において上記化粧料保持部の水平面もしくは傾斜面と平行になるよう形成されており、上記天面部に上記化粧料充填用の貫通穴が形成されている棒状化粧料容器は、全体形状がコンパクトで、好適である。そして、キャップの天面部と、化粧料保持部の化粧料を充填する面とが平行であるため、化粧料の充填作業がやりやすいという利点を有する。
【００２０】
また、本発明のなかでも、特に、上記本体部の化粧料保持部の上部に傾斜面が形成されているとともに、上記キャップが、略筒状の側壁部と天面部とを備え、上記キャップが上記本体部の化粧料保持部を被覆した状態において、上記キャップの側壁部に向かって、上記化粧料保持部の傾斜面を傾斜面垂直方向に投影して得られる仮想領域内に、上記化粧料充填用の貫通穴が形成されている棒状化粧料容器は、キャップの天面部を、本体部側の傾斜面に合わせて傾斜面にする必要がないため、一般的なスティックタイプの化粧料容器のように、全体を略円柱状にすることができ、取り扱いやすいという利点を有する。
【００２１】
そして、本発明のなかでも、特に、上記化粧料保持部の水平面もしくは傾斜面に形成された化粧料保持用凹部の深さが、０．１〜１．２ｍｍに設定されている棒状化粧料容器は、１回〜数回分の化粧料を安定的に保持することができ、好適である。
【００２２】
さらに、本発明のなかでも、特に、上記化粧料保持部の水平面もしくは傾斜面に形成された化粧料保持用凹部に、０．０５〜０．３ｇの油性化粧料が充填保持されるようになっている棒状化粧料容器は、油性化粧料の１回〜数回分の使用量が保持されるため、化粧料サンプルとして店頭で配布したりダイレクトメールで送付したりするのに便利である。また、携帯や保管にも便利である。
【図面の簡単な説明】
【００２３】
【図１】本発明の一実施の形態を示す分解斜視図である。
【図２】（ａ）は上記実施の形態に用いられる本体部の正面図、（ｂ）は（ａ）の右側面図である。
【図３】（ａ）は図２（ｂ）のＡ−Ａ'断面図、（ｂ）は図２（ａ）のＢ−Ｂ'断面図である。
【図４】（ａ）は上記実施の形態に用いられるキャップの正面図、（ｂ）は（ａ）のＣ−Ｃ'断面図、（ｃ）は（ｂ）の底面図である。
【図５】上記本体部とキャップとを係合した状態を示す縦断面図である。
【図６】（ａ）は上記実施の形態において化粧料を充填する動作の説明図、（ｂ）は本発明の他の実施の形態を示す正面図、（ｃ）は上記他の実施の形態において化粧料を充填する動作の説明図である。
【図７】（ａ）、（ｂ）、（ｃ）は、いずれも一連の実施の形態における化粧料保持用凹部の変形例を示す部分断面図である。
【図８】（ａ）は本発明のさらに他の実施の形態に用いられる本体部の斜視図、（ｂ）は（ａ）の正面図、（ｃ）は（ｂ）の右側面図、（ｄ）は（ｂ）のＤ−Ｄ’断面図である。
【図９】（ａ）は本発明のさらに他の実施の形態において、シールを貼っていない状態を示す斜視図、（ｂ）は（ａ）に用いられるキャップの縦断面図、（ｃ）は（ａ）のＥ矢視図、（ｄ）は（ａ）に用いられるシールの平面図である。
【図１０】上記さらに他の実施の形態において化粧料を充填する動作の説明図である。
【図１１】（ａ）は本発明の他の実施の形態に用いられる本体部の斜視図、（ｂ）は上記本体部とともに用いられるキャップの斜視図である。
【図１２】上記他の実施の形態において本体部とキャップを係合した状態を示す縦断面図である。
【図１３】（ａ）は本発明のさらに他の実施の形態に用いられる本体部の斜視図、（ｂ）は上記本体部とともに用いられるキャップの斜視図である。
【図１４】上記さらに他の実施の形態において本体部とキャップを係合した状態を示す縦断面図である。
【図１５】従来の化粧料サンプルの一例を示す斜視図である。
【図１６】従来の化粧料サンプルの他の例を示す断面図である。
【図１７】（ａ）は従来の化粧料サンプルのさらに他の例を示す斜視図、（ｂ）は（ａ）のＸ−Ｘ'断面図である。
【発明を実施するための形態】
【００２４】
つぎに、本発明を実施するための形態について説明する。ただし、本発明は、以下の実施の形態に限定されるものではない。
【００２５】
図１は、本発明の一実施の形態である棒状化粧料容器を示している。すなわち、この棒状化粧料容器は、少量の化粧料を簡易的に保持する化粧料サンプルとして用いられるか、携帯用やお試し用として販売される化粧料容器であって、縦長の中空一体成形体からなる本体部２０と、この本体部２０に着脱自在に係合する有天筒状のキャップ２１と、キャップ２１の天面部２９に貼付される円形のシール３５とを備えている。
【００２６】
上記本体部２０、キャップ２１は、ともにアクリロニトリル−スチレン共重合樹脂（ＡＳ）からなり、射出成形による一体成形品である。ただし、成形方法および材料樹脂の種類は、これに限るものではなく、本体部２０、キャップ２１の形状に成形できれば、どのような製法、材料によっても差し支えない。また、シール３５は、容易に破れない程度の強度があれば、どのような材質であってもよいが、通常、樹脂シートや撥水加工がなされた紙シートであって裏面に粘着層が形成されたものが、好適に用いられる。
【００２７】
より詳しく説明すると、上記本体部２０は、その正面図である図２（ａ）、その右側面図である図２（ｂ）に示されているとおり、円筒状の把持部２２と、この把持部２２の上面から上向きに突出する有天筒状の化粧料保持部２４とを備えている。なお、図３（ａ）は図２（ｂ）のＡ−Ａ'断面図、図３（ｂ）は図２（ａ）のＢ−Ｂ'断面図である。
【００２８】
上記把持部２２は、使用時に、この部分を指で把持するための部分で、この例では、直径１５ｍｍ、高さ１５ｍｍの円筒状である。また、その上の化粧料保持部２４は、上記把持部２２よりも一回り小さく縮径された円筒状の側壁部２４ａと、背面側から正面側に向かって下り傾斜に形成された上面部２４ｂとで構成されており、上記把持部２２と化粧料保持部２４の側壁部２４ａとの境界部分に、幅１．５ｍｍの段差面２３が形成されている。なお、この段差面２３に、キャップ２１の下端面が当接するようになっている。
【００２９】
そして、上記化粧料保持部２４の側壁部２４ａには、上記キャップ２１と本体部２０との位置合わせのために、その正面中央に、上下方向に延びる突条２３ａが設けられている。一方、キャップ２１の周壁下端部には、図１に示すように、上記突条２３ａと嵌合しうるスリット２１ａが設けられており、両者の嵌合により、互いの位置を正確に合わせた状態でキャップ２１を被せることができるようになっている。
【００３０】
なお、図３（ａ）、（ｂ）に示すように、上記把持部２２の内周面の背面側に、上下方向に延びる比較的太い突条２５が設けられている。この突条２５は、本体部２０（本体部２０とキャップ２１とが係合した状態における本体部２０を含む）を搬送したり位置決めしたりするときに用いるもので、把持部２２に一定の強度を与えるリブとしての役目も果たしている。
【００３１】
また、上記化粧料保持部２４の傾斜した上面部２４ｂには、化粧料保持用凹部２７が形成され、その周縁部２６は環状であり、全周にわたってなだらかに面取りされている。なお、上記化粧料保持用凹部２７は、その開口形状が、上面部２４ｂの下り方向に沿って延びる楕円状になっている［図１（ａ）を参照］。
【００３２】
一方、上記本体部２０と係合して上記化粧料保持部２４を覆うキャップ２１は、その正面図である図４（ａ）、図４（ａ）のＣ−Ｃ'断面図である図４（ｂ）、図４（ｂ）の底面図である図４（ｃ）に示されているように、円筒状の側壁部２８と、傾斜した天面部２９とを備えている。そして、上記側壁部２８の下端部には、すでに述べたように、本体部２０との位置合わせ用のスリット２１ａが設けられている。
【００３３】
より詳しく説明すると、まず、上記キャップ２１の側壁部２８の内周面には、周方向に３等配の配置で、上下方向に延びる３本の小さなリブ３０が設けられている。これらのリブ３０は、本体部２０の化粧料保持部２４とキャップ２１との嵌合時に、化粧料保持部２４の側壁部２４ａを外側から押圧して、キャップ２１を抜け止めする作用を果たす。ただし、本体部２０とキャップ２１の係合構造は、この例に限るものではなく、両者が着脱自在に係合する構造になっていれば、特に限定するものではない。
【００３４】
また、上記キャップ２１の天面部２９は、化粧料保持部２４の上面部２４ｂの傾斜面と同一の向きで同一の角度に傾斜した傾斜面になっており、その傾斜面の中央よりやや下寄りに、化粧料充填用の貫通穴３１が形成されている。
【００３５】
上記キャップ２１を化粧料保持部２４に係合すると、図５に示すように、化粧料保持部２４の上面部２４ｂとキャップ２１の天面部２９が、所定の隙間を保って平行に対峙するようになっている。そして、上記キャップ２１の天面部２９に形成された貫通穴３１は、上記化粧料保持部２４の上面部２４ｂに形成された化粧料保持用凹部２７の上に配置されるようになっている。
【００３６】
そして、本発明では、上記キャップ２１を化粧料保持部２４に係合した状態で、化粧料保持部２４の化粧料保持用凹部２７内に化粧料を充填することができる。充填方法は、特に限定するものではないが、例えば、図６（ａ）に示すように、上記キャップ２１の傾斜した天面部２９が水平になるよう全体を傾斜姿勢で保持し、化粧料充填ノズル４０の下に、上記天面部２９の貫通穴３１を位置決めする。この状態で、キャップ２１の天面部２９と平行な化粧料保持部２４の上面部２４ｂも、化粧料保持用凹部２７の底面も、当然ながら、水平になっているため、上記化粧料充填ノズル４０から、加熱によって流動性が高められた化粧料を滴下すれば、滴下された化粧料は、化粧料保持用凹部２７内で層状に広がり、表面張力によってやや盛り上がった状態で固化し、保持される。
【００３７】
そして、上記キャップ２１の天面部２９の貫通穴３１を、前記シール３５（図１参照）で封止することにより、最終製品とすることができる。なお、化粧料が充填された棒状化粧料容器は、そのままの状態で店頭に陳列してテスターとして用いることもできるが、簡易な二つ折りのブリスターパックによる包装やシュリンク包装、あるいは単純な袋詰め等によって、簡単に包装することができる。
【００３８】
上記棒状化粧料容器によれば、化粧料保持用凹部２７内に保持される化粧料の周囲が、化粧料保持部２４の上面部２４ｂの、環状の周縁部２６で囲われているため、化粧料の表面を、直接肌や唇につけて伸ばしても、化粧料全体がずれたり脱落したりすることがない。したがって、一般的なスティックタイプの化粧料容器を使用する場合と同様、キャップ２１を外すだけで、本体部２０側の化粧料を簡単に露出させることができ、この化粧料を、肌や唇に直接塗布して、化粧料の色味と使用感を実感することができる。
【００３９】
しかも、上記棒状化粧料容器は、本体部２０とキャップ２１を係合した状態のまま、キャップ２１に設けられた貫通穴３１から、本体部２０の化粧料保持用凹部２７内に化粧料を充填することができるため、化粧料充填後にキャップ２１を本体部２０に係合させる必要がなく、キャップ２１の下端部が、充填された化粧料に当たって見栄えを損なう等の問題を生じることがない。また、化粧料の充填後、上記貫通穴３１をシール３５で封止すれば、簡単にキャップ２１内を密封することができ、それ以降の工程において、充填された化粧料を衛生的に保つことができる。
【００４０】
そして、上記のように、本体部２０とキャップ２１を係合し、その状態で化粧料を充填する方が、先に化粧料を充填し、後からキャップ２１を係合するよりも、充填工程へのワークの準備や搬送にかかる手間が少なく、コスト的にも有利である。
【００４１】
さらに、上記キャップ２１の貫通穴３１を封止するシール３５に、化粧料に関する表示やキャンペーンに関する表示等を印刷しておけば、容器を使用する都度、シールの表示内容を顧客にアピールすることができ、宣伝効果が大きい。
【００４２】
なお、上記の例において、本体部２０の、化粧料保持部２４の上面部２４ｂに設けられる化粧料保持用凹部２７の底面形状は、必ずしも平坦である必要はない。例えば、図７（ａ）に示すように、凹んだ湾曲面にしたり、図７（ｂ）に示すように、底面をシボ状や凹凸溝によって粗面にしたりすることができる。これらの形状にすると、化粧料の粘性が比較的少ないものであっても、化粧料がずれたり脱落したりするおそれがなく、好適である。
【００４３】
また、上記の例において、本体部２０の化粧料保持部２４の上面部２４ｂを傾斜面とし、それに合わせて、キャップ２１の天面部２９を傾斜面としている。これは、化粧料を唇や肌に塗布して伸ばすときの作業のしやすさを考慮したものであるが、場合によっては、傾斜面にしないで、水平面のままであってもよい。ただし、その場合も、図７（ｃ）に示すように、上面部２４ｂの周縁部２６に面取り部を設けることで、化粧料保持用凹部２７の周囲が環状に突出するようにすることが好適である。
【００４４】
なお、上記の例のように、化粧料保持部２４の上面部２４ｂを傾斜させる場合、その傾斜面が垂線Ｅとなす角度［図２（ｂ）においてθ1で示す。］は、３０〜６５°に設定することが、上述のような作業性が良好となり、好適である。ちなみに、上記の例では、θ1を６０°に設定している。
【００４５】
また、上記の例において、化粧料保持部２４に設けられる化粧料保持用凹部２７には、１回〜数回分の少量の化粧料を保持することができ、しかもその保持された化粧料を、直接唇や肌に当てて塗布することができるようになっていることが重要である。そのためには、上記化粧料保持用凹部２７の深さは、０．１〜１．２ｍｍ程度に設定されることが好適である。
【００４６】
そして、化粧料の保持量は、化粧料の種類にもよるが、化粧料が例えば油性化粧料である場合、化粧料保持用凹部２７内に、０．０５〜０．３ｇ、なかでも、０．１〜０．２ｇ程度の化粧料が保持されるようになっていることが好適である。
【００４７】
また、上記の例では、化粧料保持部２４の傾斜した上面部２４ｂに合わせて、キャップ２１の天面部２９も傾斜面にして、上記天面部２９に、化粧料充填用の貫通穴３１を形成したが、上記貫通穴３１は、必ずしもキャップ２１の天面部２９に設ける必要はなく、例えば、図６（ｂ）に示すように、キャップ２１’の側壁部２８'を上方に長く伸ばし、その側壁部２８'に、化粧料充填用の貫通穴３２を設けてもよい。
【００４８】
この場合、上記貫通穴３２は、図６（ｃ）に示すように、キャップ２１'を本体部２０の化粧料保持部２４に被せた状態において、キャップ２１’の側壁部２８'に向かって、上記化粧料保持部２４の傾斜した上面部２４ｂを、その傾斜面垂直方向に投影して得られる仮想領域Ｓ（わかりやすいようにこの部分だけ斜視図で示している）内の、側壁部２８'に形成されている。そして、化粧料充填用のノズル４０を、傾斜した側壁部２８'内に挿入して化粧料保持部２４の上面部２４ｂに接近させやすいように、この貫通穴３２は、側壁部２８'の軸方向に長く延びる長穴（楕円穴等を含む）になっている。
【００４９】
上記の構成によれば、図１に示す、キャップ２１の傾斜した天面部２９に貫通穴３１を形成する場合に比べて、容器が長くなってやや嵩高くなるが、容器全体が、傾斜面のない略円柱状になるため、保管時や搬送時に取り扱いやすい。また、キャップ２１’に貼着するシール（図１における３５を参照）が貼着しやすくなり、その上、キャップ２１'とシールの表面積が広くなるため、それらに付与する図柄やキャッチフレーズによって、より印象的な外観を付与することができる。なお、図６（ｂ）、（ｃ）において、他の部分は図１に示す例と同様であり、同一部分に同一の符号を付して、その説明を省略する。
【００５０】
さらに、上記一連の例は、本体部２０の化粧料保持部２４に、単一の化粧料保持用凹部２７を設け、一種類の化粧料を保持するものであるが、化粧料保持用凹部を複数設け、それぞれの凹部内に化粧料を保持するようにしてもよい。
【００５１】
例えば、図８（ａ）に、２個一対の化粧料保持用凹部５１、５２が設けられた本体部５０の一例を示す。この本体部５０は、その正面図である図８（ｂ）、その右側面図である図８（ｃ）、図８（ｂ）のＤ−Ｄ'断面図である図８（ｄ）に示されているとおり、円筒状の把持部５３と、この把持部５３の上面から上向きに突出する円筒状の中間部５４と、この中間部の上面から上向き略ドーム状に突出する化粧料保持部５５とを備えている。
【００５２】
上記把持部５３は、使用時に、この部分を指で把持するための部分で、この例では、直径１６ｍｍ、高さ１５ｍｍの円筒状である。また、その上の中間部５４は、上記把持部５３よりも一回り小さく縮径されており、把持部５３との境界部分に、幅１．５ｍｍの段差面５６が形成されている。なお、この段差面５６に、後述するキャップ６１（図９参照）の下端面が当接するようになっている。
【００５３】
上記中間部５４の周面には、キャップ６１と本体部５０との位置合わせのために、その正面中央と、背面中央に、上下方向に延びる突条５４ａ、５４ｂがそれぞれ設けられている。一方、キャップ６１の周壁下端部には、図９に示すように、上記突条５４ａ、５４ｂのそれぞれと嵌合する、幅の異なる２本のスリット６１ａ、６１ｂが設けられている。これら両者の嵌合により、正確にキャップ６１を被せることができる。
【００５４】
また、上記中間部５４（図８に戻る）の周面には、周方向に４等配の配置で、上下方向に延びる４本の小さなリブ５７が設けられている。これらのリブ５７は、本体部５０とキャップ６１との嵌合時に、キャップ６１を内側から押圧して、キャップ６１を抜け止めする作用を果たす。ただし、これらの、本体部５０とキャップ６１の係合構造は、この例に限るものではなく、両者が着脱自在に係合する構造になっていれば、特に限定するものではない。
【００５５】
つぎに、上記中間部５４の上面から上向き略ドーム状に突出する化粧料保持部５５は、その下部５８が、正面から見える幅が上記中間部５４の幅に等しく［図８（ｂ）を参照］、側面から見える幅が上記中間部５４の幅よりも狭くなっており［図８（ｃ）を参照］、その平面視輪郭形状が、前後方向を短軸方向とし、左右方向を長軸方向とする楕円状になっている［図８（ａ）を参照］。これは、上記化粧料保持部５５の短軸方向において、後述する２つの傾斜面７０、７１に化粧料保持用凹部５１、５２を形成する際、この部分を広くとれるよう考慮したものである。
【００５６】
そして、上記化粧料保持部５５の上部５９は、上下方向にやや長く伸びた中空略半球状になっており、その略半球状の周壁のうち、正面側と背面側の部分、すなわち、平面視輪郭形状の短軸方向において互いに対向する部分に、化粧料保持部５５の頂部に向かって互いに接近する一対の傾斜面７０、７１が設けられている。
【００５７】
上記２つの傾斜面７０、７１は、斜面の上下方向に沿ってやや長く伸びた楕円形状になっており、図８（ｄ）に示すように、傾斜面７０、７１のそれぞれに、その周縁部を環状に残した状態で、化粧料保持用凹部５１、５２が形成されている。
【００５８】
上記化粧料保持用凹部５１、５２の底面は、傾斜面７０、７１と平行な傾斜面になっており、上記化粧料保持用凹部５１、５２内に、図８（ｄ）において一点鎖線で示すように、化粧料を層状に充填した状態で、顧客に提供することができる。
【００５９】
上記本体部５０には、図９（ａ）に示すように、化粧料充填用の貫通穴８０が設けられたキャップ６１が係合されるようになっており、図１に示す例と同様、本体部５０にキャップ６１を係合した状態で、上記貫通穴８０を利用して、化粧料が充填されるようになっている。
【００６０】
より詳しく説明すると、上記キャップ６１は、その縦断面図である図９（ｂ）と、図９（ａ）を貫通穴８０に対し垂直上方向［図９（ａ）のＥ矢視方向］から見た図９（ｃ）に示すように、円筒状の側壁部６２と、前後に傾斜面６３、６４が形成された天面部６５とを備え、各傾斜面６３、６４に化粧料充填用の貫通穴８０が設けられている。
【００６１】
そして、上記各傾斜面６３、６４は、キャップ６１を本体部５０に係合した状態で、本体部５０側の化粧料保持部５５の各傾斜面７０、７１と平行になる角度に設定されており、上記各貫通穴８０は、同じくキャップ６１を本体部５０に係合した状態で、本体部５０側の化粧料保持部５５の各化粧料保持用凹部５１、５２に対峙する配置になっている（図１０を参照）。なお、上記天面部６５の頂部は、前後に湾曲するＲ（アール）が付けられている。
【００６２】
また、図９（ｄ）は、上記キャップ６１の貫通穴８０を封止するためのシール８１で、平面視が縦長の略楕円形状を有しており、図９（ａ）に一点鎖線で示すように、キャップ６１の天面部６５に、前後にまたがるように貼付され、傾斜面６３、６４に設けられた２個の貫通穴８０を同時に封止するようになっている。
【００６３】
上記本体部５０の化粧料保持用凹部５１、５２への化粧料の充填は、前記の例と同様、キャップ６１を本体部５０に係合させた状態で行われる。すなわち、両者を係合した状態で、例えば、図１０に示すように、上記キャップ６１の天面部６５の、片方の傾斜面６３が水平になるよう全体を傾斜姿勢で保持し、化粧料充填ノズル４０の下に、上記傾斜面６３に設けられた貫通穴８０を位置決めする。この状態で、当然ながら、キャップ６１の傾斜面６３と平行な化粧料保持部５５の傾斜面７０も、化粧料保持用凹部５１の底面も、水平になっているため、上記化粧料充填ノズル４０から、加熱によって流動性が高められた化粧料を滴下すれば、滴下された化粧料は、化粧料保持用凹部５１内で層状に広がって表面張力によってやや盛り上がった状態で固化し、保持される。
【００６４】
つぎに、互いに係合した本体部５０とキャップ６１を、その状態のまま、上下を反対にして、キャップ６１の天面部６５の、反対側の傾斜面６４が水平となる傾斜姿勢で保持し、第２の化粧料充填ノズルの下に位置決めして、上記と同様にして、反対側の化粧料保持用凹部５２内に、第２の化粧料の充填を行う。
【００６５】
このようにして、本体部５０とキャップ６１を係合した状態のまま、化粧料保持用凹部５１、５２に、２種類の化粧料をそれぞれ充填保持することができる。そして、図９（ａ）に示すように、上記キャップ６１の天面部６５にシール８１を貼着し、前後の貫通穴８０を封止することによって、目的とする棒状化粧料容器を得ることができる。
【００６６】
なお、上記棒状化粧料容器は、そのままの状態で店頭に陳列してテスターとして用いることもできるが、簡易な二つ折りのブリスターパックによる包装や、シュリンク包装、あるいは単純な袋詰め等によって、簡単に包装することができる。
【００６７】
このようにして化粧料が充填保持された棒状化粧料容器によれば、前述の、図１〜図７に示す、化粧料保持部２４に単一の化粧料を保持するものと同様の効果を奏するだけでなく、さらに、以下の効果を奏する。すなわち、この例では、化粧料保持部５５に２種類の化粧料が保持されているため、例えば色の異なる口紅化粧料を２種類組み合わせたものや、同じ口紅化粧料であってもリップカラーとリップグロスというように異なる種類の化粧料を組み合わせたものを、１本のコンパクトな棒状容器として提供することができる。また、単一の化粧料を２個所に分けて保持した場合、化粧料の保持量が２倍になるため、お試し用や携帯用として、より長期にわたって、これを使用することができ好適である。
【００６８】
したがって、この棒状化粧料容器を化粧料サンプルとして配布したりダイレクトメールで送付したりする場合に、嵩張らず、取り扱いやすい。また、お試し用、携帯用の商品として販売する場合も、その保管や携帯に嵩張らないため、好適である。
【００６９】
なお、上記の例において、化粧料保持部５５に形成される一対の傾斜面７０、７１がそれぞれ垂線Ｅとなす角度［図８（ｃ）においてθ2、θ2'で示す］は、小さすぎると、把持部５３および中間部５４の非傾斜部分と傾斜面７０、７１との差が小さくなって、肌等への塗布時に把持部５３を持つ指が肌等に当たって化粧しにくくなるおそれがある。また、本体部５０の径が一定の場合、傾斜面７０、７１が軸方向に長く延びるため、本体部５５とキャップ６１が軸方向に長くなり、嵩高いものとなる点においても好ましくない。また、逆に、その角度θ2、θ2'が大きすぎると、本体部５０の径が一定の場合、せっかく化粧料保持部５５の平面視輪郭形状を略楕円状にしても、傾斜面７０、７１の面積が小さくなり、化粧料保持用凹部５１、５２の開口面積を充分にとれないおそれがある。このような観点から、上記角度θ2、θ2'は、１５〜３０°に設定することが好適である。ちなみに、この例では、上記角度θ2、θ2'は、ともに２２．５°に設定されている。
【００７０】
また、上記化粧料保持用凹部５１、５２の開口形状は、上下方向に延びる略楕円状であること（図８等を参照）が、化粧料をきれいに充填できる点、保持された化粧料の見栄えの点、化粧のしやすさの点で、好適である。このような略楕円状を得るには、化粧料保持部５５の上部５９を、上記の例のように、略半球状に丸めていることが望ましい。
【００７１】
そして、上記図８、図９に示す例では、キャップ６１の天面部６５の前後に傾斜面６３、６４が設けられている以外は、本体部５０にキャップ６１を被せた全体形状を、略円柱状にしたが、例えば、図１１（ａ）、（ｂ）に示すように、本体部９０において、化粧料保持部５５の形状はそのままで、把持部９１と中間部９２、そしてキャップ９３の形状をいずれも角張ったものにして、全体形状を略角柱状にしてもよい。この形状は、全体が略円柱状のものより嵩高くなるが、本体部９０とキャップ９３を安定して立てることができ、また、これらが転がって落下することもないという点で好適である。
【００７２】
なお、上記キャップ９３の天面部９４には、上記図９に示すキャップ６１と同様、その前後に傾斜面９５、９６が形成され、各傾斜面９５、９６に、化粧料充填用の貫通穴９７が形成されている。そして、上記キャップ９３を、本体部９０に係合させると、図１２に示すように、上記キャップ９３の傾斜面９５、９６が、本体部９０の化粧料保持用凹部５１、５２と対峙し、その化粧料保持用凹部５１、５２内に、キャップ９３の貫通穴９７から、化粧料を充填することができるようになっており、上記図８、図９に示す例と同様の効果を奏することができる。
【００７３】
また、上記図８〜図１２に示す例では、化粧料保持部５５の傾斜面７０、７１に合わせて、キャップ６１、９３の天面部６５、９４も傾斜面にして、その傾斜面６３、６４および９５、９６に、化粧料充填用の貫通穴８０、９７を形成したが、本発明において、化粧料充填用の貫通穴は、前述の、図６（ｂ）、（ｃ）に示す例と同様、キャップの側壁部側に設けても差し支えない。
【００７４】
その一例を図１３に示す。この例では、図１３（ａ）に示す本体部５０と略同一の本体部１００と、図１３（ｂ）に示すように、天面部１０２が平坦面であるキャップ１０１とが組み合わせられている。上記キャップ１０１の天面部１０２は平坦で、側壁部１０３には、その前後２個所に、化粧料充填用の貫通穴１０４が形成されている。なお、上記本体部１００の化粧料保持部１１０において、その側壁部１１１の左右両側には、上下方向に延びる突条１１２が設けられており、キャップ１０１の内周面の、左右両側に設けられる凹条１１３と係合して、キャップ１０１の抜け止めがなされるようになっている。それ以外の構成は、図８、図９に示す本体部５０、キャップ６１と同様であり、同一部分に同一の符号を付して、その説明を省略する。
【００７５】
上記貫通穴１０４は、図１４に示すように、キャップ１０１を本体部１００の化粧料保持部１１０に被せた状態において、キャップ１０１の側壁部１０３に向かって、上記化粧料保持部１１０の傾斜面７０、７１を、その傾斜面垂直方向に投影して得られる仮想領域Ｓ’（わかりやすいようにこの部分だけ斜視図で示している）内の、側壁部１０３に形成されている。そして、化粧料充填用のノズル４０を、側壁部１０３内に挿入して化粧料保持部１１０の化粧料保持用凹部５１、５２内に化粧料を充填できるようになっている。
【００７６】
この構成によれば、前述の図８〜図１２に示す各例と同様の効果を奏する。そして、本体部１００の化粧料保持部１１０の傾斜面７０、７１は、その傾斜角度が急峻であるため、図６（ｂ）、（ｃ）に示す場合のように、キャップ１０１の長さを、上方に長く伸ばす必要がなく、容器全体が嵩高くなることがない。そして、容器全体が、傾斜面のない略円柱状になるため、貫通穴１０４を封止するシールを貼着しやすく、また保管時や搬送時に取り扱いやすい。
【００７７】
なお、本発明において、化粧料保持用凹部内に保持せる化粧料としては、リップカラー、リップグロス等の口紅化粧料の他、アイカラー、チークカラー、フェイスカラー、フェイスシャドウ、コンシーラー等、各種の油性化粧料を好適に用いることができる。
【産業上の利用可能性】
【００７８】
本発明は、少量の化粧料を保持することができ、安価で使い勝手のよい簡易な棒状化粧料容器として利用することができる。
【符号の説明】
【００７９】
２０  本体部
２１  キャップ
２２  把持部
２４  化粧料保持部
２４ｂ  上面部
２７  化粧料保持用凹部
２９  天面部
３１  貫通穴
【図１】
2019076440.tif 000003
【図２】
2019076440.tif 000004
【図３】
2019076440.tif 000005
【図４】
2019076440.tif 000006
【図５】
2019076440.tif 000007
【図６】
2019076440.tif 000008
【図７】
2019076440.tif 000009
【図８】
2019076440.tif 000010
【図９】
2019076440.tif 000011
【図１０】
2019076440.tif 000012
【図１１】
2019076440.tif 000013
【図１２】
2019076440.tif 000014
【図１３】
2019076440.tif 000015
【図１４】
2019076440.tif 000016
【図１５】
2019076440.tif 000017
【図１６】
2019076440.tif 000018
【図１７】
2019076440.tif 000019